(57)【特許請求の範囲】
【請求項１】
発信電話番号の入力操作を検知したことに応じて、前記発信電話番号と関連する広告を表示させるための広告情報を要求する広告要求手段と、
前記広告要求手段によって前記広告情報が要求されたことに応じて、前記発信電話番号をクエリとしてＷｅｂページを検索する番号検索手段と、
前記番号検索手段で検索された前記Ｗｅｂページのうち所定の上位にランクされるＷｅｂページを取得する上位ランクＷｅｂページ取得手段と、
前記上位にランクされるＷｅｂページを解析して、当該上位にランクされるＷｅｂページにおいて特徴的なキーワードを抽出するキーワード抽出手段と、
前記キーワード抽出手段で抽出した前記キーワードに基づいて、前記キーワードに関連する前記広告情報を取得する広告情報取得手段と、
当該広告情報による広告を前記発信電話番号の入力画面に表示する表示手段と、を備える広告配信システム。
【請求項２】
請求項１に記載の広告配信システムは、
前記発信電話番号と関連する広告を表示させる携帯電話端末と、当該広告を表示させるための広告情報を当該携帯電話端末に送信する広告配信サーバと、を備え、
前記広告配信サーバは、
前記携帯電話端末から、前記広告情報の要求を受け付ける広告要求受付手段と、前記番号検索手段と、前記上位ランクＷｅｂページ取得手段と、前記キーワード抽出手段と、前記広告情報取得手段と、前記広告情報をキーワードに関連付けて記憶する広告情報記憶手段と、前記広告情報取得手段が取得した前記広告情報を前記携帯電話端末に送信する広告情報送信手段と、を備え、
前記広告情報取得手段は、前記広告情報記憶手段から前記キーワードに関連する前記広告情報を取得し、
前記携帯電話端末は、前記広告配信サーバに前記広告情報の要求を送信する前記広告要求手段と、前記広告配信サーバから前記広告情報を受信する広告情報受信手段と、前記表示手段と、を備える。
【請求項３】
携帯電話端末と通信可能に接続され、前記携帯電話端末から、発信電話番号と関連する広告を表示させるための広告情報の要求を受け付けたことに応じて、前記発信電話番号をクエリとしてＷｅｂページを検索する番号検索手段と、
前記番号検索手段で検索された前記Ｗｅｂページのうち所定の上位にランクされるＷｅｂページを取得する上位ランクＷｅｂページ取得手段と、
前記上位にランクされるＷｅｂページを解析して、当該上位にランクされるＷｅｂページにおいて特徴的なキーワードを抽出するキーワード抽出手段と、
前記キーワード抽出手段で抽出した前記キーワードに基づいて、前記キーワードに関連する前記広告情報を取得する広告情報取得手段と、
前記広告情報取得手段が取得した前記広告情報を前記携帯電話端末に送信する広告情報送信手段と、を備える広告配信サーバ。
【請求項４】
発信電話番号の入力操作を検知したことに応じて、前記発信電話番号と関連する広告を表示させるための広告情報を要求する広告要求手段と、
前記広告要求手段によって前記広告情報が要求されたことに応じて、前記発信電話番号をクエリとしてＷｅｂページを検索する番号検索手段と、
前記番号検索手段で検索された前記Ｗｅｂページのうち所定の上位にランクされるＷｅｂページを取得する上位ランクＷｅｂページ取得手段と、
前記上位にランクされるＷｅｂページを解析して、当該上位にランクされるＷｅｂページにおいて特徴的なキーワードを抽出するキーワード抽出手段と、
前記キーワード抽出手段で抽出した前記キーワードに基づいて、前記キーワードに関連する前記広告情報を取得する広告情報取得手段と、
前記広告情報取得手段で取得した前記広告情報による広告を発信電話番号の入力画面に表示する表示手段と、を備える広告表示携帯電話端末。
【請求項５】
携帯電話端末により実行される広告配信プログラムであって、前記携帯電話端末において、発信電話番号の入力操作を検知したことに応じて、前記発信電話番号と関連する広告を表示させるための広告情報を要求する広告要求ステップと、
前記広告要求ステップによって前記広告情報が要求されたことに応じて、前記発信電話番号をクエリとしてＷｅｂページを検索する番号検索ステップと、
前記番号検索ステップで検索された前記Ｗｅｂページのうち所定の上位にランクされるＷｅｂページを取得する上位ランクＷｅｂページ取得ステップと、
前記上位にランクされるＷｅｂページを解析して、当該上位にランクされるＷｅｂページにおいて特徴的なキーワードを抽出するキーワード抽出ステップと、
前記キーワード抽出ステップで抽出した前記キーワードに基づいて、前記キーワードに関連する前記広告情報を取得する広告情報取得ステップと、当該広告情報による広告を前記発信電話番号の入力画面に表示する表示ステップと、を実行させる広告配信プログラム。
【請求項６】
コンピュータが実行する広告配信方法であって、
発信電話番号の入力操作を検知したことに応じて、前記発信電話番号と関連する広告を表示させるための広告情報を要求する広告要求ステップと、
前記広告要求ステップによって前記広告情報が要求されたことに応じて、前記発信電話番号をクエリとしてＷｅｂページを検索する番号検索ステップと、
前記番号検索ステップで検索された前記Ｗｅｂページのうち所定の上位にランクされるＷｅｂページを取得する上位ランクＷｅｂページ取得ステップと、
前記上位にランクされるＷｅｂページを解析して、当該上位にランクされるＷｅｂページにおいて特徴的なキーワードを抽出するキーワード抽出ステップと、
前記キーワード抽出ステップで抽出した前記キーワードに基づいて、前記キーワードに関連する前記広告情報を取得する広告情報取得ステップと、
当該広告情報による広告を前記発信電話番号の入力画面に表示する表示ステップと、を備える広告配信方法。
【請求項７】
電話の着信を検知したことに応じて、発信電話番号と関連する広告を表示させるための広告情報を要求する広告要求手段と、前記広告要求手段によって前記広告情報が要求されたことに応じて、前記発信電話番号をクエリとしてＷｅｂページを検索する番号検索手段と、前記番号検索手段で検索された前記Ｗｅｂページのうち所定の上位にランクされるＷｅｂページを取得する上位ランクＷｅｂページ取得手段と、前記上位にランクされるＷｅｂページを解析して、当該上位にランクされるＷｅｂページにおいて特徴的なキーワードを抽出するキーワード抽出手段と、前記キーワード抽出手段で抽出した前記キーワードに基づいて、前記キーワードに関連する前記広告情報を取得する広告情報取得手段と、当該広告情報による広告を前記発信電話番号の表示画面に表示する表示手段と、を備える広告配信システム。
【発明の詳細な説明】
【技術分野】
【０００１】
本発明は、広告配信システム、広告配信サーバ、広告表示携帯電話端末、広告配信プログラム及び広告配信方法に関する。
【背景技術】
【０００２】
従来より、携帯電話端末には、発着信時に、発着信される電話番号や当該携帯電話端末に登録されている当該発着信される電話番号の発着信先の名称等が表示される表示装置が設けられている。また、このような表示装置には、待受時に待受画面が表示される。
【０００３】
このような携帯電話端末として、交換システムからの自動配信により広告情報を含んだ、着信画面、待受け画面データの更新を行ない、この自動配信された広告情報を含んだ、着信画面及び待受け画面を、自動的に選択して着信画面及び待受け画面に設定する携帯電話自動配信システムが提案されている（特許文献１）。
この携帯電話自動配信システムによれば、携帯電話端末は、交換システムから自動配信された広告情報を含んだ着信画面及び待受け画面を自動的に表示できる。
【先行技術文献】
【特許文献】
【０００４】
【特許文献１】特開２００２−１６５０１０号公報
【発明の概要】
【発明が解決しようとする課題】
【０００５】
しかしながら、特許文献１に記載された携帯電話自動配信システムでは、携帯電話端末に、交換システムから自動配信された広告情報を表示するため、携帯電話端末の所有者が要望する広告情報とは限らず、広告情報の広告効果が低い。
【０００６】
また、携帯電話端末の所有者は、携帯電話端末を使用している以外の時は、携帯電話端末自体に注目することが少ないため、待受け画面に表示されている広告情報に注目することもあまりないので、高い広告効果が得られるとは限らない。
一方、携帯電話端末の所有者は、発信時或いは着信時においては、それぞれ発信画面或いは着信画面に注目するので、発信時或いは着信時に広告を表示できれば、少なくとも当該広告が所有者の視野に入る可能性が高く、広告効果の向上が期待できる。
【０００７】
本発明は、発信時或いは着信時に、発信電話番号と関連する広告を提供可能とすることで、広告効果を向上できる広告配信システムを提供することを目的とする。
【課題を解決するための手段】
【０００８】
（１）  発信電話番号の入力操作を検知したことに応じて、前記発信電話番号と関連する広告を表示させるための広告情報を要求する広告要求手段と、前記広告要求手段によって前記広告情報が要求されたことに応じて、前記発信電話番号をクエリとしてＷｅｂページを検索する番号検索手段と、前記番号検索手段で検索された前記Ｗｅｂページのうち所定の上位にランクされるＷｅｂページを取得する上位ランクＷｅｂページ取得手段と、前記上位にランクされるＷｅｂページを解析して、当該上位にランクされるＷｅｂページにおいて特徴的なキーワードを抽出するキーワード抽出手段と、前記キーワード抽出手段で抽出した前記キーワードに基づいて、前記キーワードに関連する前記広告情報を取得する広告情報取得手段と、当該広告情報による広告を前記発信電話番号の入力画面に表示する表示手段と、を備える広告配信システム。
【０００９】
（１）に記載の発明によれば、広告要求手段は、発信電話番号の入力操作を検知したことに応じて、発信電話番号と関連する広告を表示させるための広告情報を要求する。番号検索手段は、広告情報が要求されたことに応じて、発信電話番号をクエリとしてＷｅｂページを検索する。上位ランクＷｅｂページ取得手段は、検索されたＷｅｂページのうち所定の上位にランクされるＷｅｂページを取得する。キーワード抽出手段は、上位にランクされるＷｅｂページを解析して、当該上位にランクされるＷｅｂページにおいて特徴的なキーワードを抽出する。広告情報取得手段は、抽出されたキーワードに基づいて、このキーワードに関連する広告情報を取得する。表示手段は、広告情報による広告を発信電話番号の入力画面に表示する。
【００１０】
これにより、発信電話番号の入力操作を検知したことに応じて、この発信電話番号をクエリとして検索されたＷｅｂページから特徴的なキーワードを抽出し、このキーワードに関連する広告情報を取得し、広告情報による広告を発信電話番号の入力画面に表示できる。
したがって、発信電話番号の入力を契機に、この発信電話番号と関連する広告を提供可能とすることで、広告効果を向上できる広告配信システムを提供できる。
【００１１】
（２）  （１）に記載の広告配信システムは、前記発信電話番号と関連する広告を表示させる携帯電話端末と、当該広告を表示させるための広告情報を当該携帯電話端末に送信する広告配信サーバと、を備え、前記広告配信サーバは、前記携帯電話端末から、前記広告情報の要求を受け付ける広告要求受付手段と、前記番号検索手段と、前記上位ランクＷｅｂページ取得手段と、前記キーワード抽出手段と、前記広告情報取得手段と、前記広告情報をキーワードに関連付けて記憶する広告情報記憶手段と、前記広告情報取得手段が取得した前記広告情報を前記携帯電話端末に送信する広告情報送信手段と、を備え、前記広告情報取得手段は、前記広告情報記憶手段から前記キーワードに関連する前記広告情報を取得し、前記携帯電話端末は、前記広告配信サーバに前記広告情報の要求を送信する前記広告要求手段と、前記広告配信サーバから前記広告情報を受信する広告情報受信手段と、前記表示手段と、を備える。
【００１２】
（２）に記載の発明によれば、発信電話番号と関連する広告を表示させる携帯電話端末と、当該広告を表示させるための広告情報を当該携帯電話端末に送信する広告配信サーバと、を備える。
広告配信サーバは、携帯電話端末から、広告情報の要求を受け付ける広告要求受付手段、番号検索手段、上位ランクＷｅｂページ取得手段、キーワード抽出手段、広告情報取得手段と、広告情報をキーワードに関連付けて記憶する広告情報記憶手段と、広告情報を携帯電話端末に送信する広告情報送信手段と、を備える。広告情報取得手段は、広告情報記憶手段からキーワードに関連する広告情報を取得する。
携帯電話端末は、広告配信サーバに広告情報の要求を送信する広告要求手段と、広告情報を受信する広告情報受信手段と、表示手段と、を備える。
【００１３】
これにより、携帯電話端末において、発信電話番号の入力操作を検知したことに応じて、広告配信サーバは携帯電話端末から、広告情報の要求を受け付け、発信電話番号をクエリとして検索されたＷｅｂページから特徴的なキーワードを抽出し、このキーワードに関連する広告情報を取得して携帯電話端末に送信し、携帯電話端末は広告配信サーバから受信した広告情報による広告を発信電話番号の入力画面に表示できる。
したがって、発信電話番号の入力を契機に、この発信電話番号と関連する広告を携帯電話端末における発信電話番号の入力画面に表示することで、広告効果を向上できる広告配信システムを提供できる。
【００１４】
（３）  携帯電話端末と通信可能に接続され、前記携帯電話端末から、発信電話番号と関連する広告を表示させるための広告情報の要求を受け付けたことに応じて、前記発信電話番号をクエリとしてＷｅｂページを検索する番号検索手段と、前記番号検索手段で検索された前記Ｗｅｂページのうち所定の上位にランクされるＷｅｂページを取得する上位ランクＷｅｂページ取得手段と、前記上位にランクされるＷｅｂページを解析して、当該上位にランクされるＷｅｂページにおいて特徴的なキーワードを抽出するキーワード抽出手段と、前記キーワード抽出手段で抽出した前記キーワードに基づいて、前記キーワードに関連する前記広告情報を取得する広告情報取得手段と、前記広告情報をキーワードに関連付けて記憶する広告情報記憶手段と、前記広告情報取得手段が取得した前記広告情報を前記携帯電話端末に送信する広告情報送信手段と、を備える広告配信サーバ。
【００１５】
（３）に記載の発明によれば、（１）と同様の作用効果を奏する広告配信サーバを提供できる。
【００１６】
（４）  発信電話番号の入力操作を検知したことに応じて、前記発信電話番号と関連する広告を表示させるための広告情報を要求する広告要求手段と、前記広告要求手段によって前記広告情報が要求されたことに応じて、前記発信電話番号をクエリとしてＷｅｂページを検索する番号検索手段と、前記番号検索手段で検索された前記Ｗｅｂページのうち所定の上位にランクされるＷｅｂページを取得する上位ランクＷｅｂページ取得手段と、前記上位にランクされるＷｅｂページを解析して、当該上位にランクされるＷｅｂページにおいて特徴的なキーワードを抽出するキーワード抽出手段と、前記キーワード抽出手段で抽出した前記キーワードに基づいて、前記キーワードに関連する前記広告情報を取得する広告情報取得手段と、前記広告情報取得手段で取得した前記広告情報による広告を発信電話番号の入力画面に表示する表示手段と、を備える広告表示携帯電話端末。
【００１７】
（４）に記載の発明によれば、広告要求手段は、発信電話番号の入力操作を検知したことに応じて、発信電話番号と関連する広告を表示させるための広告情報を要求する。番号検索手段は、広告情報が要求されたことに応じて、発信電話番号をクエリとしてＷｅｂページを検索する。上位ランクＷｅｂページ取得手段は、検索されたＷｅｂページのうち所定の上位にランクされるＷｅｂページを取得する。キーワード抽出手段は、上位にランクされるＷｅｂページを解析して、当該上位にランクされるＷｅｂページにおいて特徴的なキーワードを抽出する。広告情報取得手段は、抽出されたキーワードに基づいて、このキーワードに関連する広告情報を取得する。表示手段は、広告情報による広告を発信電話番号の入力画面に表示する。
【００１８】
これにより、発信電話番号の入力操作を検知したことに応じて、この発信電話番号をクエリとして検索されたＷｅｂページから特徴的なキーワードを抽出し、このキーワードに関連する広告情報を取得し、発信電話番号の入力画面に表示できる。
したがって、発信電話番号の入力を契機に、この発信電話番号と関連する広告を携帯電話端末における発信電話番号の入力画面に表示することで、広告効果を向上できる広告表示携帯電話端末を提供できる。
【００１９】
（５）  携帯電話端末により実行される広告配信プログラムであって、前記携帯電話端末において、発信電話番号の入力操作を検知したことに応じて、前記発信電話番号と関連する広告を表示させるための広告情報を要求する広告要求ステップと、前記広告要求ステップによって前記広告情報が要求されたことに応じて、前記発信電話番号をクエリとしてＷｅｂページを検索する番号検索ステップと、前記番号検索ステップで検索された前記Ｗｅｂページのうち所定の上位にランクされるＷｅｂページを取得する上位ランクＷｅｂページ取得ステップと、前記上位にランクされるＷｅｂページを解析して、当該上位にランクされるＷｅｂページにおいて特徴的なキーワードを抽出するキーワード抽出ステップと、前記キーワード抽出ステップで抽出した前記キーワードに基づいて、前記キーワードに関連する前記広告情報を取得する広告情報取得ステップと、当該広告情報による広告を前記発信電話番号の入力画面に表示する表示ステップと、を実行させる広告配信プログラム。
【００２０】
（５）に記載の発明によれば、（１）と同様の作用効果を奏する広告配信プログラムを提供できる。
【００２１】
（６）  コンピュータが実行する広告配信方法であって、発信電話番号の入力操作を検知したことに応じて、発信電話番号と関連する広告を表示させるための広告情報を要求する広告要求ステップと、前記広告要求ステップによって前記広告情報が要求されたことに応じて、前記発信電話番号をクエリとしてＷｅｂページを検索する番号検索ステップと、前記番号検索ステップで検索された前記Ｗｅｂページのうち所定の上位にランクされるＷｅｂページを取得する上位ランクＷｅｂページ取得ステップと、前記上位にランクされるＷｅｂページを解析して、当該上位にランクされるＷｅｂページにおいて特徴的なキーワードを抽出するキーワード抽出ステップと、前記キーワード抽出ステップで抽出した前記キーワードに基づいて、前記キーワードに関連する前記広告情報を取得する広告情報取得ステップと、当該広告情報による広告を前記発信電話番号の入力画面に表示する表示ステップと、を備える広告配信方法。
【００２２】
（６）に記載の発明によれば、（１）と同様の作用効果を奏する広告配信方法を提供できる。
【００２３】
（７）  電話の着信を検知したことに応じて、発信電話番号と関連する広告を表示させるための広告情報を要求する広告要求手段と、前記広告要求手段によって前記広告情報が要求されたことに応じて、前記発信電話番号をクエリとしてＷｅｂページを検索する番号検索手段と、前記番号検索手段で検索された前記Ｗｅｂページのうち所定の上位にランクされるＷｅｂページを取得する上位ランクＷｅｂページ取得手段と、前記上位にランクされるＷｅｂページを解析して、当該上位にランクされるＷｅｂページにおいて特徴的なキーワードを抽出するキーワード抽出手段と、前記キーワード抽出手段で抽出した前記キーワードに基づいて、前記キーワードに関連する前記広告情報を取得する広告情報取得手段と、当該広告情報による広告を前記発信電話番号の表示画面に表示する表示手段と、を備える広告配信システム。
【００２４】
（７）に記載の発明によれば、電話の着信時において（１）と同様の効果が期待できる。
【発明の効果】
【００２５】
本発明によれば、発信時或いは着信時に、発信電話番号と関連する広告を提供可能とすることで、広告効果を向上できる広告配信システムを提供できる。
【図面の簡単な説明】
【００２６】
【図１】本発明の第１実施形態に係る広告配信システムの機能構成を示す図である。
【図２】第１実施形態に係るインデックステーブルを説明する図である。
【図３】第１実施形態に係る地域情報テーブルを説明する図である。
【図４】第１実施形態に係る広告情報テーブルを説明する図である。
【図５】第１実施形態に係る表示広告テーブルを説明する図である。
【図６】第１実施形態に係る携帯電話端末の携帯電話制御手段のフローチャートである。
【図７】第１実施形態に係る広告配信サーバの広告配信サーバ制御手段のフローチャートである。
【図８】第１実施形態に係る携帯電話端末の入力手段及び表示手段の入力画面を説明する図である。
【図９】本発明の第２実施形態に係る広告表示携帯電話端末の機能構成を示す図である。
【図１０】第２実施形態に係る広告表示携帯電話端末の携帯電話制御手段のフローチャートである。
【発明を実施するための形態】
【００２７】
以下に、本発明の第１実施形態を図面に基づいて詳細に説明する。なお、以下の実施形態の説明にあたって、同一構成要件については同一符号を付し、その説明を省略もしくは簡略化する。
【００２８】
〈第１実施形態〉
［広告配信システム１の機能構成］
図１は、本発明の第１実施形態に係る広告配信システム１の機能構成を示す図である。
広告配信システム１は、発信電話番号と関連する広告を表示させる携帯電話端末１０と、当該広告を表示させるための広告情報を携帯電話端末１０に送信する広告配信サーバ２０と、を備える。また、携帯電話端末１０と広告配信サーバ２０とは、通信ネットワーク７を介して接続されている。
【００２９】
携帯電話端末１０は、ユーザの入力操作を受け付ける入力手段１１と、入力手段１１により入力された発信電話番号やこの発信電話番号と関連する広告を入力画面に表示する表示手段１２と、携帯電話端末１０を制御する携帯電話制御手段１３と、を備える。
【００３０】
入力手段１１は、広告要求部１１１と、数字入力部１１２と、を備える。
広告要求部１１１は、ユーザの入力操作により、発信電話番号と関連する広告の要求を受け付ける。
数字入力部１１２は、ユーザの入力操作により、発信電話番号の入力を受け付ける。
【００３１】
表示手段１２は、発信電話番号の入力画面として、メイン電話番号表示部１２１と、広告表示部１２２と、広告電話番号表示部１２３と、を備える。
メイン電話番号表示部１２１は、数字入力部１１２により受け付けた発信電話番号を表示する。
広告表示部１２２は、メイン電話番号表示部１２１に表示した発信電話番号と関連する広告を表示する。
広告電話番号表示部１２３は、広告表示部１２２に表示した広告の広告主の電話番号を表示する。ユーザは、この広告電話番号表示部１２３に表示された広告主の電話番号を選択し発信することができる。
【００３２】
携帯電話制御手段１３は、広告要求手段１３１と、広告情報受信手段１３２と、表示制御手段１３３と、を備える。
広告要求手段１３１は、ユーザの広告要求部１１１及び数字入力部１１２の入力操作を検知したことに応じて、広告配信サーバ２０に、この発信電話番号と関連する広告を表示させるための広告情報を要求する。
広告情報受信手段１３２は、広告配信サーバ２０から送信された広告情報を受信する。
表示制御手段１３３は、広告情報受信手段１３２において受信した広告情報に基づき、表示手段１２の広告表示部１２２に広告情報による広告を表示させ、広告電話番号表示部１２３に当該広告の広告主の電話番号を表示させる。
【００３３】
広告配信サーバ２０は、広告配信サーバ２０を制御する広告配信サーバ制御手段２１と、広告配信サーバ制御手段２１が参照するインデックスＤＢ２５、地域情報ＤＢ２６及び広告情報ＤＢ２７と、を備える。
【００３４】
広告配信サーバ制御手段２１は、広告要求受付手段２１１と、番号検索手段２１２と、上位ランクＷｅｂページ取得手段２１３と、キーワード抽出手段としての特徴的キーワード抽出手段２１４と、地域キーワード抽出手段２１５と、広告情報取得手段２１６と、広告情報送信手段２１７と、を備える。
【００３５】
広告要求受付手段２１１は、携帯電話端末１０の広告要求手段１３１から送信された発信電話番号及びこの発信電話番号と関連する広告を表示させるための広告情報の要求を受け付ける。
【００３６】
番号検索手段２１２は、広告要求受付手段２１１が発信電話番号及び広告情報の要求を受け付けたことに応じて、この発信電話番号をクエリとして、インデックスＤＢ２５を参照して、Ｗｅｂページを検索する。なお、本実施形態では、番号検索手段２１２は、広告配信サーバ２０が備えたインデックスＤＢ２５を参照してＷｅｂページを検索しているが、通信ネットワーク７を介して、Ｗｅｂ検索サーバ（図示無し）を参照して、Ｗｅｂページを検索することもできる。
【００３７】
上位ランクＷｅｂページ取得手段２１３は、番号検索手段２１２で検索されたＷｅｂページのうち所定の上位にランクされるＷｅｂページを取得する。具体的には、上位ランクＷｅｂページ取得手段２１３は、番号検索手段２１２で検索されたＷｅｂページが、例えば、５つあった場合、この５つのうち、クエリ（発信電話番号）に対しての重み付け値が大きいものから３つのＷｅｂページを所定の上位にランクされるＷｅｂページとして取得する。なお、番号検索手段２１２で検索されたＷｅｂページが１つしか無かった場合は、この１つのＷｅｂページが上位にランクされるＷｅｂページとなる。
【００３８】
特徴的キーワード抽出手段２１４は、上位ランクＷｅｂページ取得手段２１３が取得したＷｅｂページを解析して、このＷｅｂページに含まれるキーワードのうち、最も上位階層に含まれるキーワードや、最も使用頻度が高いキーワードを特徴的キーワードとして抽出する。例えば、Ｗｅｂページがある会社のホームページであれば、このホームページのトップに記述されている当該会社名や、繰り返し使用される当該会社の特徴を宣伝するキーワードを特徴的キーワードとして抽出する。
【００３９】
また、特徴的キーワード抽出手段２１４は、上位ランクＷｅｂページ取得手段２１３が取得したＷｅｂページが複数ある場合、複数のＷｅｂページをそれぞれ解析して、各Ｗｅｂページの最も上位階層に含まれるキーワードや、最も使用頻度が高いキーワードを抽出し、各Ｗｅｂページのこれらのキーワードを対比し、同一又は近似するキーワードを特徴的キーワードとして抽出する。
【００４０】
地域キーワード抽出手段２１５は、地域情報ＤＢ２６を参照して、地域キーワードを抽出する。具体的には、地域キーワード抽出手段２１５は、広告要求受付手段２１１が受け付けた発信電話番号の上６桁（市外局番及び市内局番）に基づき、地域情報ＤＢ２６を参照して、地域キーワードを抽出する。例えば、広告要求受付手段２１１が受け付けた発信電話番号が０３０２２４ＸＸＸ１（Ｘは、所定の数字を示す。）であった場合、この発信電話番号の上６桁に基づき、地域情報ＤＢ２６を参照して、“東京都港区”を地域キーワードとして抽出する。
【００４１】
地域キーワード抽出手段２１５により抽出した地域キーワードを用いることで、発信電話番号の発信先の近辺に所在する広告主の広告を表示できる。なお、本実施形態では、地域キーワード抽出手段２１５及び地域情報ＤＢ２６を備えているが、省略することもできる。
【００４２】
広告情報取得手段２１６は、特徴的キーワード抽出手段２１４が抽出した特徴的キーワード及び地域キーワード抽出手段２１５が抽出した地域キーワードに基づいて、広告情報ＤＢ２７を参照して、これらのキーワードに関連する広告情報を取得する。
広告情報送信手段２１７は、広告情報取得手段２１６が抽出した広告情報を携帯電話端末１０に送信する。
【００４３】
インデックスＤＢ２５は、番号検索手段２１２が参照するインデックステーブルを記憶する。
図２は、第１実施形態に係るインデックステーブルを説明する図である。
図２に示すように、インデックステーブルは、電話番号をクエリとして、この電話番号が含まれるＷｅｂページと、当該Ｗｅｂページにおける当該電話番号の重み付け値とが対応付けられて記憶されている。第１実施形態において、Ｗｅｂページにおける当該電話番号の記述位置や使用回数等から算出される。すなわち、重み付け値は、Ｗｅｂページにおいてより上段に記述されていたり、使用回数が多いほど、大きい値となる。また、重み付け値は、値が大きい程、当該Ｗｅｂページと当該電話番号の関連度が高いことを示す。
【００４４】
地域情報ＤＢ２６は、地域キーワード抽出手段２１５が参照する地域情報テーブルを記憶する。
図３は、第１実施形態に係る地域情報テーブルを説明する図である。
図３に示すように、地域情報テーブルは、電話番号の市外局番と市内局番とに、これらの市外局番と市内局番とで特定される地域が地域キーワードとして対応付けられて記憶されている。
【００４５】
広告情報ＤＢ２７は、広告情報取得手段２１６が参照する広告情報テーブル及び表示広告テーブルを記憶する。
図４は、第１実施形態に係る広告情報テーブルを説明する図である。図５は、第１実施形態に係る表示広告テーブルを説明する図である。
図４に示すように、広告情報テーブルは、表示広告ＩＤに、広告主ＩＤ、地域キーワード及び特徴的キーワードが対応付けられて記憶されている。
図５に示すように、表示広告テーブルは、表示広告ＩＤに、広告主の名称、広告の内容、広告主の電話番号が対応付けられて記憶されている。
【００４６】
表示広告ＩＤは、各広告を携帯電話端末１０に表示させるための広告情報のＩＤを示す。
広告主ＩＤは、各広告の広告主のＩＤを示す。
地域キーワードは、広告主の電話番号に基づき抽出された地域を示す。
特徴的キーワードは、広告に含まれるキーワードを示す。
例えば、広告主は、通信ネットワーク７（図１参照）を介して、自己の端末（図示無し）から、広告主ＩＤを用いて、自己の名称、広告の内容、自己の電話番号を、広告配信サーバ２０（図１参照）に送信する。広告配信サーバ２０は、この送信された自己の名称、広告、自己の電話番号に、表示広告ＩＤを付して表示広告テーブルに登録する。また、広告配信サーバ２０は、送信された広告に含まれるキーワードを特徴的キーワードとして広告情報テーブルに登録する。また、広告配信サーバ２０は、送信された広告主の電話番号に基づき、地域情報テーブル（図３参照）を参照して、地域キーワードを抽出し、広告情報テーブルに登録する。
【００４７】
［広告配信システム１のハードウェア構成］
第１実施形態に係る広告配信システム１の携帯電話端末１０及び広告配信サーバ２０は、コンピュータ及びその周辺装置に適用される。携帯電話端末１０及び広告配信サーバ２０における各部は、コンピュータ及びその周辺装置が備えるハードウェア並びに該ハードウェアを制御するソフトウェアによって構成される。
【００４８】
上記ハードウェアには、携帯電話制御手段１３・広告配信サーバ制御手段２１としてのＣＰＵ（Ｃｅｎｔｒａｌ  Ｐｒｏｃｅｓｓｉｎｇ  Ｕｎｉｔ）及びインデックスＤＢ２５・地域情報ＤＢ２６・広告情報ＤＢ２７としての記憶部の他、通信装置、表示手段１２としての表示装置及び入力手段１１としての入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）、及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイ、プラズマディスプレイ等の各種ディスプレイが挙げられる。入力装置としては、例えば、入力キー、タッチパネル、キーボード及びポインティング・デバイス（マウス、トラッキングボール等）が挙げられる。
【００４９】
上記ソフトウェアには、上記ハードウェアを制御するコンピュータ・プログラムやデータが含まれる。コンピュータ・プログラムやデータは、記憶部により記憶され、各制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００５０】
［広告配信システム１の制御フロー］
次に、広告配信システム１の制御フローについて説明する。
図６は、第１実施形態に係る携帯電話端末１０の携帯電話制御手段１３のフローチャートである。図７は、第１実施形態に係る広告配信サーバ２０の広告配信サーバ制御手段２１のフローチャートである。図８は、第１実施形態に係る携帯電話端末１０の入力手段１１及び表示手段１２の入力画面を説明する図である。
【００５１】
図６に示すように、携帯電話端末１０の携帯電話制御手段１３（図１参照）は、ステップＳ１１で、広告要求入力受付処理を行う。この処理において、携帯電話制御手段１３は、広告要求手段１３１（図１参照）により、ユーザの入力手段１１（図８参照）の入力操作を受け付ける。
【００５２】
具体的には、広告要求手段１３１は、入力手段１１の広告要求部１１１（図８参照）の入力操作を受け付け、その後、入力手段１１の数字入力部１１２（図８参照）により１０桁の発信電話番号の入力がされた時点で、ユーザより広告要求入力がされたと判断し、広告要求入力受付処理を行う。
このとき、例えば、携帯電話端末１０の表示手段１２（図８参照）には、メイン電話番号表示部１２１において、入力された１０桁の発信電話番号（“０３３２２４ＸＸＸ１”）と、当該発信電話番号の発信先である名称（“ＸＸＸ運送）が表示される。
【００５３】
次に、携帯電話制御手段１３は、ステップＳ１２で、広告要求処理を行う。この処理において、携帯電話制御手段１３は、広告要求手段１３１（図１参照）により、広告配信サーバ２０（図１参照）に、この発信電話番号と関連する広告を表示させるための広告情報を要求する情報を送信する。
【００５４】
広告情報を要求する情報を送信された広告配信サーバ２０は、以下の処理を行う。
図７に示すように、広告配信サーバ２０の広告配信サーバ制御手段２１（図１参照）は、ステップＳ２１で、広告要求受付処理を行う。この処理において、広告配信サーバ制御手段２１は、広告要求受付手段２１１（図１参照）により、携帯電話制御手段１３のステップＳ１２（図６参照）で送信された発信電話番号（例えば、図８に示す“０３３２２４ＸＸＸ１”）及び広告情報を要求する情報を受け付ける。
【００５５】
ステップＳ２２では、番号検索処理を行う。この処理において、広告配信サーバ制御手段２１は、番号検索手段２１２（図１参照）により、広告要求受付手段２１１が発信電話番号及び広告情報の要求を受け付けたことに応じて、この発信電話番号をクエリとして、インデックステーブル（図２参照）を参照して、Ｗｅｂページを検索する。
【００５６】
ステップＳ２３では、上位ランクＷｅｂページ取得処理を行う。この処理において、広告配信サーバ制御手段２１は、上位ランクＷｅｂページ取得手段２１３（図１参照）により、番号検索手段２１２で検索されたＷｅｂページのうち所定の上位にランクされるＷｅｂページを取得する。
【００５７】
ステップＳ２４では、特徴的キーワード抽出処理を行う。この処理において、広告配信サーバ制御手段２１は、特徴的キーワード抽出手段２１４（図１参照）により、ステップＳ２３で上位ランクＷｅｂページ取得手段２１３が取得したＷｅｂページを解析して、このＷｅｂページに含まれるキーワードのうち、最も上位階層に含まれるキーワードや、最も使用頻度が高いキーワードを特徴的キーワードとして抽出する。
【００５８】
ステップＳ２５では、地域キーワード抽出処理を行う。この処理において、広告配信サーバ制御手段２１は、地域キーワード抽出手段２１５（図１参照）により、ステップＳ２１で広告要求受付手段２１１が受け付けた発信電話番号の上６桁（市外局番及び市内局番）に基づき、地域情報テーブル（図３参照）を参照して、地域キーワードを抽出する。
【００５９】
ステップＳ２６では、広告情報取得処理を行う。この処理において、広告配信サーバ制御手段２１は、広告情報取得手段２１６（図１参照）により、ステップＳ２４で特徴的キーワード抽出手段２１４が抽出した特徴的キーワード及びステップＳ２５で地域キーワード抽出手段２１５が抽出した地域キーワードに基づいて、広告情報テーブル（図４参照）及び表示広告テーブル（図５参照）を参照して、これらのキーワードに関連する広告情報を取得する。
【００６０】
例えば、ステップＳ２４で特徴的キーワード抽出手段２１４が抽出した特徴的キーワードが“運送”、“２４時間”であり、ステップＳ２５で地域キーワード抽出手段２１５が抽出した地域キーワードが“東京都港区”であれば、ステップＳ２６で広告情報取得手段２１６は、広告情報テーブル（図４参照）を参照して、表示広告ＩＤ“Ａ０１”を選択し、この選択した表示広告ＩＤ“Ａ０１”に基づき、表示広告テーブル（図５参照）を参照して、表示広告ＩＤ“Ａ０１”に対応付けられた広告主の名称“ａａａ運輸”、広告“２４時間、お届けします！”及び電話番号“０３３２２４ａａａ１”を携帯電話端末１０に表示させるための広告情報を取得する。
【００６１】
ステップＳ２７では、広告情報送信処理を行う。この処理において、広告配信サーバ制御手段２１は、広告情報送信手段２１７（図１参照）により、ステップＳ２６で広告情報取得手段２１６が抽出した広告情報を携帯電話端末１０に送信する。
【００６２】
図６に戻って、携帯電話端末１０の携帯電話制御手段１３（図１参照）は、ステップＳ１３で、広告情報受信処理を行う。この処理において、携帯電話制御手段１３は、広告情報受信手段１３２（図１参照）により、広告配信サーバ２０のステップＳ２７（図７参照）で広告情報送信手段２１７（図１参照）から送信された広告情報を受信する。
【００６３】
ステップＳ１４では、広告情報表示処理を行う。この処理において、携帯電話制御手段１３は、表示制御手段１３３（図１参照）により、ステップＳ１３で広告情報受信手段１３２が受信した広告情報に基づき、表示手段１２の広告表示部１２２（図８参照）に広告主の名称及び広告を表示させ、広告電話番号表示部１２３（図８参照）に当該広告の広告主の電話番号を表示させる。
【００６４】
具体的には、表示制御手段１３３は、例えば、図８に示すように、表示手段１２の広告表示部１２２に広告主の名称“ａａａ運輸”、広告“２４時間、お届けします！”と表示させ、広告電話番号表示部１２３に電話番号“０３３２２４ａａａ１”を表示させる。
【００６５】
第１実施形態によれば、以下のような作用効果がある。
広告要求手段１３１は、発信電話番号の入力操作を検知したことに応じて、発信電話番号と関連する広告を表示させるための広告情報を要求する。番号検索手段２１２は、広告情報が要求されたことに応じて、発信電話番号をクエリとしてＷｅｂページを検索する。上位ランクＷｅｂページ取得手段２１３は、検索されたＷｅｂページのうち所定の上位にランクされるＷｅｂページを取得する。特徴的キーワード抽出手段２１４は、上位にランクされるＷｅｂページを解析して、当該上位にランクされるＷｅｂページにおいて特徴的なキーワードを抽出する。広告情報取得手段２１６は、抽出されたキーワードに基づいて、このキーワードに関連する広告情報を取得する。表示手段１２は、広告情報による広告を広告表示部１２２に表示する。
【００６６】
これにより、発信電話番号の入力操作を検知したことに応じて、この発信電話番号をクエリとして検索されたＷｅｂページから特徴的なキーワードを抽出し、このキーワードに関連する広告情報を取得し、広告情報による広告を発信電話番号の入力画面に表示できる。
したがって、発信電話番号の入力を契機に、この発信電話番号と関連する広告を提供可能とすることで、広告効果を向上できる広告配信システムを提供できる。
【００６７】
また、広告配信システム１は、発信電話番号と関連する広告を表示させる携帯電話端末１０と、当該広告を表示させるための広告情報を携帯電話端末１０に送信する広告配信サーバ２０と、を備える。
広告配信サーバ２０は、携帯電話端末１０から、広告情報の要求を受け付ける広告要求受付手段２１１、番号検索手段２１２、上位ランクＷｅｂページ取得手段２１３、特徴的キーワード抽出手段２１４、広告情報取得手段２１６と、広告情報をキーワードに関連付けて記憶する広告情報ＤＢ２７と、広告情報を携帯電話端末１０に送信する広告情報送信手段２１７と、を備える。広告情報取得手段２１６は、広告情報ＤＢ２７からキーワードに関連する広告情報を取得する。
携帯電話端末１０は、広告配信サーバ２０に広告情報の要求を送信する広告要求手段１３１と、広告情報を受信する広告情報受信手段１３２と、表示手段１２と、を備える。
【００６８】
これにより、携帯電話端末１０において発信電話番号の入力操作を検知したことに応じて、広告配信サーバ２０は、携帯電話端末１０から、広告情報の要求を受け付け、発信電話番号をクエリとして検索されたＷｅｂページから特徴的なキーワードを抽出し、このキーワードに関連する広告情報を取得して携帯電話端末１０に送信し、携帯電話端末１０は広告配信サーバ２０から受信した広告情報による広告を発信電話番号の入力画面に表示できる。
したがって、発信電話番号の入力を契機に、この発信電話番号と関連する広告を携帯電話端末における発信電話番号の入力画面に表示することで、広告効果を向上できる広告配信システムを提供できる。
【００６９】
なお、上述の実施形態において、入力手段１１に代わり、電話の着信を検知する手段が広告要求部１１１を備えることにより、携帯電話端末１０が発信電話番号の入力操作を検知する際ではなく、携帯電話端末１０が他の電話端末からの電話を着信した際に、同様の処理を行うことができる。この場合、その後の処理は同様であるので図示及び詳細な説明は省略するが、図８において、携帯電話端末１０が入力操作を検知した発信電話番号ではなく、携帯電話端末１０が着信を検知した他の電話端末からの発信電話番号とともに、当該発信電話番号に関連する広告を着信画面に表示することができる。
【００７０】
或いは、入力手段１１に代わり、広告要求部１１１を備える、電話の着信を検知する手段を、電話回線を制御する回線交換機或いはこれと連携して動作するサーバが備えることにより、上述の実施形態と同様の処理を行うことができる。この場合、携帯電話端末１０には、回線交換機或いはこれと連携して動作するサーバから、発信電話番号とともに関連する広告を受信することができる。
【００７１】
〈第２実施形態〉
［広告表示携帯電話端末１０Ａの機能構成］
次に、本発明の第２実施形態に係る広告表示携帯電話端末１０Ａを図面に基づいて説明する。
第２実施形態は、広告配信サーバが備えていた番号検索手段、上位ランクＷｅｂページ取得手段、特徴的キーワード抽出手段、地域キーワード抽出手段及び広告情報取得手段を、広告表示携帯電話端末１０Ａの携帯電話制御手段１３Ａが備える点が、第１実施形態と異なる。
図９は、第２実施形態に係る広告表示携帯電話端末１０Ａの機能構成を示す図である。
第２実施形態に係る広告表示携帯電話端末１０Ａは、通信ネットワーク７を介して、インデックスＤＢ２５０、地域情報ＤＢ２６０、広告情報ＤＢ２７０を備える広告情報サーバ２０Ａに接続されている。
広告表示携帯電話端末１０Ａは、ユーザの入力操作を受け付ける入力手段１１と、入力手段１１により入力された発信電話番号やこの発信電話番号と関連する広告を入力画面に表示する表示手段１２と、広告表示携帯電話端末１０Ａを制御する携帯電話制御手段１３Ａと、を備える。
入力手段１１及び表示手段１２は、第１実施形態と同様に構成であるので、説明を省略する。また、広告表示携帯電話端末１０Ａのハードウェア構成は、携帯電話端末１０と同様であるので、説明を省略する。
【００７２】
携帯電話制御手段１３Ａは、広告要求手段１３１Ａと、表示制御手段１３３Ａと、番号検索手段１３４Ａと、上位ランクＷｅｂページ取得手段１３５Ａと、特徴的キーワード抽出手段１３６Ａと、地域キーワード抽出手段１３７Ａと、広告情報取得手段１３８Ａと、を備える。
広告要求手段１３１Ａは、ユーザの広告要求部１１１及び数字入力部１１２の入力操作を検知したことに応じて、番号検索手段１３４Ａに、発信電話番号と関連する広告を表示させるための広告情報を要求する。
表示制御手段１３３Ａは、広告情報取得手段１３８Ａが取得した広告情報に基づき、表示手段１２の広告表示部１２２に広告情報による広告を表示させ、広告電話番号表示部１２３に当該広告の広告主の電話番号を表示させる。
【００７３】
番号検索手段１３４Ａは、広告要求手段１３１Ａから送信された発信電話番号及び広告情報の要求に応じて、この発信電話番号をクエリとして、通信ネットワーク７を介して接続された広告情報サーバ２０Ａにアクセスし、広告情報サーバ２０Ａが備えるインデックスＤＢ２５０を参照して、Ｗｅｂページを検索する。インデックスＤＢ２５０は、インデックスＤＢ２５（図１参照）と同様の構成であるので、説明を省略する。
【００７４】
上位ランクＷｅｂページ取得手段１３５Ａは、番号検索手段１３４Ａで検索されたＷｅｂページのうち所定の上位にランクされるＷｅｂページを取得する。具体的には、上位ランクＷｅｂページ取得手段１３５Ａは、番号検索手段１３４Ａで検索されたＷｅｂページが、例えば、５つあった場合、この５つのうち、クエリ（発信電話番号）に対しての重み付け値が大きいものから３つのＷｅｂページを所定の上位にランクされるＷｅｂページとして取得する。なお、番号検索手段１３４Ａで検索されたＷｅｂページが１つしか無かった場合は、この１つのＷｅｂページが上位にランクされるＷｅｂページとなる。
【００７５】
特徴的キーワード抽出手段１３６Ａは、上位ランクＷｅｂページ取得手段１３５Ａが取得したＷｅｂページを解析して、このＷｅｂページに含まれるキーワードのうち、最も上位階層に含まれるキーワードや、最も使用頻度が高いキーワードを特徴的キーワードとして抽出する。例えば、Ｗｅｂページがある会社のホームページであれば、このホームページのトップに記述されている当該会社名や、繰り返し使用される当該会社の特徴を宣伝するキーワードを特徴的キーワードとして抽出する。
【００７６】
また、特徴的キーワード抽出手段１３６Ａは、上位ランクＷｅｂページ取得手段１３５Ａが取得したＷｅｂページが複数ある場合、複数のＷｅｂページをそれぞれ解析して、各Ｗｅｂページの最も上位階層に含まれるキーワードや、最も使用頻度が高いキーワードを抽出し、各Ｗｅｂページのこれらのキーワードを対比し、同一又は近似するキーワードを特徴的キーワードとして抽出する。
【００７７】
地域キーワード抽出手段１３７Ａは、通信ネットワーク７を介して接続された広告情報サーバ２０Ａにアクセスし、広告情報サーバ２０Ａが備える地域情報ＤＢ２６０を参照して、地域キーワードを抽出する。具体的には、地域キーワード抽出手段１３７Ａは、広告要求手段１３１Ａから送信された発信電話番号の上６桁（市外局番及び市内局番）に基づき、地域情報ＤＢ２６０を参照して、地域キーワードを抽出する。例えば、広告要求手段１３１Ａから送信された発信電話番号が０３０２２４ＸＸＸ１（Ｘは、所定の数字を示す。）であった場合、この発信電話番号の上６桁に基づき、地域情報ＤＢ２６０を参照して、“東京都港区”を地域キーワードを抽出する。地域情報ＤＢ２６０は、地域情報ＤＢ２６（図１参照）と同様の構成であるので、説明を省略する。
【００７８】
地域キーワード抽出手段１３７Ａにより抽出した地域キーワードを用いることで、発信電話番号の発信先の近辺に所在する広告主の広告を表示できる。なお、本実施形態では、地域キーワード抽出手段１３７Ａを備えているが、省略することもできる。
【００７９】
広告情報取得手段１３８Ａは、特徴的キーワード抽出手段１３６Ａが抽出した特徴的キーワード及び地域キーワード抽出手段１３７Ａが抽出した地域キーワードに基づいて、通信ネットワーク７を介して接続された広告情報サーバ２０Ａにアクセスし、広告情報サーバ２０Ａが備える広告情報ＤＢ２７０を参照して、これらのキーワードに関連する広告情報を取得する。広告情報ＤＢ２７０は、広告情報ＤＢ２７（図１参照）と同様の構成であるので、説明を省略する。
【００８０】
広告情報サーバ２０Ａは、広告表示携帯電話端末１０Ａからのアクセスに応じて、インデックスＤＢ２５０、地域情報ＤＢ２６０及び広告情報ＤＢ２７０を参照可能とする制御を行う広告情報サーバ制御手段２１Ａを備える。
【００８１】
［広告表示携帯電話端末１０Ａの制御フロー］
次に、広告表示携帯電話端末１０Ａの制御フローについて説明する。
図１０は、第２実施形態に係る広告表示携帯電話端末１０Ａの携帯電話制御手段１３Ａのフローチャートである。
【００８２】
ステップＳ１１１で、広告要求処理を行う。この処理において、携帯電話制御手段１３Ａは、広告要求手段１３１Ａ（図９参照）により、入力手段１１の広告要求部１１１（図９参照）の入力操作を受け付け、その後、入力手段１１の数字入力部１１２（図９参照）により１０桁の発信電話番号の入力がされた時点で、ユーザより広告要求入力がされたと判断する。そして、携帯電話制御手段１３Ａは、広告要求手段１３１Ａ（図９参照）により、当該発信電話番号と、この発信電話番号と関連する広告を表示させるための広告情報を要求する情報とを番号検索手段１３４Ａ（図９参照）に送信する。
【００８３】
ステップＳ１１２では、番号検索処理を行う。この処理において、携帯電話制御手段１３Ａは、番号検索手段１３４Ａ（図９参照）により、広告要求手段１３１Ａ（図９参照）から送信された発信電話番号及び広告情報の要求に応じて、この発信電話番号をクエリとして、通信ネットワーク７を介して接続された広告情報サーバ２０Ａにアクセスし、広告情報サーバ２０Ａが備えるインデックスＤＢ２５０を参照して、Ｗｅｂページを検索する。
【００８４】
ステップＳ１１３では、上位ランクＷｅｂページ取得処理を行う。この処理において、携帯電話制御手段１３Ａは、上位ランクＷｅｂページ取得手段１３５Ａ（図９参照）により、番号検索手段１３４Ａ（図９参照）で検索されたＷｅｂページのうち所定の上位にランクされるＷｅｂページを取得する。
【００８５】
ステップＳ１１４では、特徴的キーワード抽出処理を行う。この処理において、携帯電話制御手段１３Ａは、特徴的キーワード抽出手段１３６Ａ（図９参照）により、ステップＳ１１３で上位ランクＷｅｂページ取得手段１３５Ａが取得したＷｅｂページを解析して、このＷｅｂページに含まれるキーワードのうち、最も上位階層に含まれるキーワードや、最も使用頻度が高いキーワードを特徴的キーワードとして抽出する。
【００８６】
ステップＳ１１５では、地域キーワード抽出処理を行う。この処理において、携帯電話制御手段１３Ａは、地域キーワード抽出手段１３７Ａ（図９参照）により、ステップＳ１１１で広告要求手段１３１Ａから送信された発信電話番号の上６桁（市外局番及び市内局番）に基づき、通信ネットワーク７を介して接続された広告情報サーバ２０Ａにアクセスし、広告情報サーバ２０Ａが備える地域情報ＤＢ２６０（図９参照）を参照して、地域キーワードを抽出する。
【００８７】
ステップＳ１１６では、広告情報取得処理を行う。この処理において、携帯電話制御手段１３Ａは、広告情報取得手段１３８Ａ（図９参照）により、ステップＳ１１４で特徴的キーワード抽出手段１３６Ａが抽出した特徴的キーワード及びステップＳ１１５で地域キーワード抽出手段１３７Ａが抽出した地域キーワードに基づいて、通信ネットワーク７を介して接続された広告情報サーバ２０Ａにアクセスし、広告情報サーバ２０Ａが備える広告情報ＤＢ２７０（図９参照）を参照して、これらのキーワードに関連する広告情報を取得する。
【００８８】
ステップＳ１１７では、広告情報表示処理を行う。この処理において、携帯電話制御手段１３Ａは、表示制御手段１３３Ａ（図９参照）により、ステップＳ１１６で広告情報取得手段１３８Ａにおいて取得した広告情報に基づき、表示手段１２の広告表示部１２２（図９参照）に広告情報による広告を表示させ、広告電話番号表示部１２３（図９参照）に当該広告の広告主の電話番号を表示させる。
【００８９】
第２実施形態によれば、以下のような作用効果がある。
広告要求手段１３１Ａは、発信電話番号の入力操作を検知したことに応じて、発信電話番号と関連する広告を表示させるための広告情報を要求する。番号検索手段１３４Ａは、広告情報が要求されたことに応じて、発信電話番号をクエリとしてＷｅｂページを検索する。上位ランクＷｅｂページ取得手段１３５Ａは、検索されたＷｅｂページのうち所定の上位にランクされるＷｅｂページを取得する。特徴的キーワード抽出手段１３６Ａは、上位にランクされるＷｅｂページを解析して、当該上位にランクされるＷｅｂページにおいて特徴的なキーワードを抽出する。広告情報取得手段１３８Ａは、抽出されたキーワードに基づいて、このキーワードに関連する広告情報を取得する。表示手段１２は、広告情報による広告を発信電話番号の入力画面に表示する。
【００９０】
これにより、発信電話番号の入力操作を検知したことに応じて、この発信電話番号をクエリとして検索されたＷｅｂページから特徴的なキーワードを抽出し、このキーワードに関連する広告情報を取得し、発信電話番号の入力画面に表示できる。
したがって、発信電話番号の入力を契機に、この発信電話番号と関連する広告を携帯電話端末における発信電話番号の入力画面に表示することで、広告効果を向上できる広告表示携帯電話端末を提供できる。
【００９１】
なお、上述の第２実施形態において、入力手段１１に代わり、電話の着信を検知する手段が広告要求部１１１を備えることにより、携帯電話端末１０が発信電話番号の入力操作を検知する際ではなく、携帯電話端末１０が他の電話端末からの電話を着信した際に、同様の処理を行うことができる。この場合、その後の処理は同様であるので図示及び詳細な説明は省略するが、図８において、携帯電話端末１０が入力操作を検知した発信電話番号ではなく、携帯電話端末１０が着信を検知した他の電話端末からの発信電話番号とともに、当該発信電話番号に関連する広告を着信画面に表示することができる。
【００９２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００９３】
１        広告配信システム
１０      携帯電話端末
１３１    広告要求手段
２０      広告配信サーバ
２１２    番号検索手段
２１３    上位ランクＷｅｂページ取得手段
２１４    特徴的キーワード抽出手段
２１６    広告情報取得手段
【図１】
0005153848.tif 000002
【図２】
0005153848.tif 000003
【図３】
0005153848.tif 000004
【図４】
0005153848.tif 000005
【図５】
0005153848.tif 000006
【図６】
0005153848.tif 000007
【図７】
0005153848.tif 000008
【図８】
0005153848.tif 000009
【図９】
0005153848.tif 000010
【図１０】
0005153848.tif 000011